【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】
ネットワークを介してカメラサーバと通信可能な、表示手段と、複数の操作手段と、バイブレータ通知手段とを有する携帯端末装置を制御するための、前記携帯端末装置において実行されるプログラムであって、
前記カメラサーバから、前記カメラサーバに接続されたカメラにより撮影された映像を取得し、該映像を前記表示手段に表示する第１のプログラムコードと、
前記携帯端末装置において前記カメラを制御するための制御権を前記カメラサーバから獲得するための第２のプログラムコードと、
前記制御権を獲得できた場合に、前記携帯端末装置から前記複数の操作手段を用いて前記カメラを制御するための第３のプログラムコードと、
前記映像表示完了時、前記制御権獲得時、前記制御完了時、エラー発生時の少なくともいずれかのタイミングで前記バイブレータ通知手段による通知を行うか否かを設定する第３のプログラムコードと
を有することを特徴とするプログラム。
【請求項２】
前記プログラムは、前記携帯端末装置に前記カメラサーバからネットワークを介してダウンロードされることを特徴とする請求項１に記載のプログラム。
【請求項３】
請求項１に記載のプログラムを記憶したことを特徴とする情報処理装置が読み取り可能な記憶媒体。
【請求項４】
ネットワークを介してカメラサーバと通信可能な携帯端末装置であって、
表示手段と、
複数の操作手段と、
バイブレータ通知手段と、
前記カメラサーバから、前記カメラサーバに接続されたカメラにより撮影された映像を取得し、該映像を前記表示手段に表示する表示制御手段と、
前記カメラを制御するための制御権を前記カメラサーバから獲得するための制御権獲得手段と、
前記制御権を獲得できた場合に、前記複数の操作手段による操作に基づいて前記カメラを制御するための制御手段と、
前記映像表示完了時、前記制御権獲得時、前記制御完了時、エラー発生時の少なくともいずれかのタイミングで前記バイブレータ通知手段による通知を行うか否かを設定する設定手段と
を有することを特徴とする携帯端末装置。
【請求項５】
ネットワークを介してカメラサーバと通信可能な、表示手段と複数の操作手段とを有する携帯端末装置を制御するための、前記携帯端末装置において実行されるプログラムであって、
前記カメラサーバから、前記カメラサーバに接続されたカメラにより撮影された映像を取得し、該映像を前記表示手段に表示する第１のプログラムコードと、
前記複数の操作手段を用いて前記携帯端末装置における前記映像の取得回数を設定するための第２のプログラムコードと
を有することを特徴とするプログラム。
【請求項６】
前記設定された取得回数だけの前記映像を取得した場合、前記携帯端末における映像取得を自動的に停止することを特徴とする請求項５に記載のプログラム。
【請求項７】
前記カメラサーバの予め設定された動作について制御を制限された第１の制御モードと、前記制御を制限されない第２の制御モードとを切り替えるための第３のプログラムコードと、
前記第２の制御モードにおいて、前記複数の操作手段を用いて前記カメラサーバを制御するための第４のプログラムコードとを更に有し、
前記映像の取得回数は、前記第１及び前記第２の制御モードいずれにおいても設定可能であることを特徴とする請求項５に記載のプログラム。
【請求項８】
前記プログラムは、前記携帯端末装置に前記カメラサーバからネットワークを介してダウンロードされることを特徴とする請求項５乃至７のいずれかに記載のプログラム。
【請求項９】
請求項５乃至７のいずれかに記載のプログラムを記憶したことを特徴とする情報処理装置が読み取り可能な記憶媒体。
【請求項１０】
ネットワークを介してカメラサーバと通信可能な携帯端末装置であって、
表示手段と、
複数の操作手段と、
前記カメラサーバに接続されたカメラにより撮影された映像を取得し、該映像を前記表示手段に表示する表示制御手段と、
前記複数の操作手段による操作に基づいて前記携帯端末装置における前記映像の取得回数を制御する制御手段と
を有することを特徴とする携帯端末装置。
【請求項１１】
前記カメラサーバの予め設定された動作について制御を制限された第１の制御モードと、前記制御を制限されない第２の制御モードとを切り替える切り替え手段を更に有し、
前記制御手段は更に、前記第２の制御モードにおいて、前記複数の操作手段による操作に基づいて前記カメラサーバを制御し、
前記映像の取得回数は、前記第１及び前記第２の制御モードいずれにおいても設定可能であることを特徴とする請求項１０に記載の携帯端末装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
【課題を解決するための手段】
上記目的を達成するために、ネットワークを介してカメラサーバと通信可能な、表示手段と、複数の操作手段と、バイブレータ通知手段とを有する携帯端末装置を制御するための、前記携帯端末装置において実行される本発明のプログラムは、前記カメラサーバから、前記カメラサーバに接続されたカメラにより撮影された映像を取得し、該映像を前記表示手段に表示する第１のプログラムコードと、前記携帯端末装置において前記カメラを制御するための制御権を前記カメラサーバから獲得するための第２のプログラムコードと、前記制御権を獲得できた場合に、前記携帯端末装置から前記複数の操作手段を用いて前記カメラを制御するための第３のプログラムコードと、前記映像表示完了時、前記制御権獲得時、前記制御完了時、エラー発生時の少なくともいずれかのタイミングで前記バイブレータ通知手段による通知を行うか否かを設定する第３のプログラムコードとを有する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また別の構成では、ネットワークを介してカメラサーバと通信可能な本発明の携帯端末装置は、表示手段と複数の操作手段と、バイブレータ通知手段と、前記カメラサーバから、前記カメラサーバに接続されたカメラにより撮影された映像を取得し、該映像を前記表示手段に表示する表示制御手段と、前記カメラを制御するための制御権を前記カメラサーバから獲得するための制御権獲得手段と、前記制御権を獲得できた場合に、前記複数の操作手段による操作に基づいて前記カメラを制御するための制御手段と、前記映像表示完了時、前記制御権獲得時、前記制御完了時、エラー発生時の少なくともいずれかのタイミングで前記バイブレータ通知手段による通知を行うか否かを設定する設定手段とを有する。
また、別の構成によれば、ネットワークを介してカメラサーバと通信可能な、表示手段と複数の操作手段とを有する携帯端末装置を制御するための、前記携帯端末装置において実行される本発明のプログラムは、前記カメラサーバから、前記カメラサーバに接続されたカメラにより撮影された映像を取得し、該映像を前記表示手段に表示する第１のプログラムコードと、前記複数の操作手段を用いて前記携帯端末装置における前記映像の取得回数を設定するための第２のプログラムコードとを有する。
また、別の構成によれば、ネットワークを介してカメラサーバと通信可能な本発明の携帯端末装置は、表示手段と、複数の操作手段と、前記カメラサーバに接続されたカメラにより撮影された映像を取得し、該映像を前記表示手段に表示する表示制御手段と、前記複数の操作手段による操作に基づいて前記携帯端末装置における前記映像の取得回数を制御する制御手段とを有する。